(57)【要約】【課題】ドラムにおける紙葉類の巻き付け状態の悪化を抑制する。【解決手段】収納動作では、第１テープ（51）と第２テープ（52）との間に紙葉類が挟み込まれ、第１テープがドラム（55）の径方向において第１テープ（51）と第２テープ（52）との間に挟み込まれた紙葉類の外側に位置するように第１テープ（51）および第２テープ（52）が紙葉類とともにドラム（55）に巻き取られて紙葉類が収納される。繰出動作では、第１テープ（51）が第１リール（53）に巻き取られるとともに第２テープ（52）が第２リール（54）に巻き取られて紙葉類がドラム（55）から繰り出される。収納動作および繰出動作の少なくとも一方において、第１テープ（51）に作用する張力は、第２テープ（52）に作用する張力よりも大きくなっている。【選択図】図６
2019167232.tif 000002
【特許請求の範囲】
【請求項１】
送り込まれた紙葉類を収納する収納動作と前記紙葉類を繰り出す繰出動作とを行う紙葉類収納装置であって、
第１テープと、
第２テープと、
前記第１テープの一端が接続されて前記第１テープを巻き取り可能に構成された第１リールと、
前記第２テープの一端が接続されて前記第２テープを巻き取り可能に構成された第２リールと、
前記第１テープおよび前記第２テープの他端が接続されて前記第１テープおよび前記第２テープを巻き取り可能に構成されたドラムとを備え、
前記収納動作では、前記第１テープと前記第２テープとの間に前記紙葉類が挟み込まれ、前記第１テープが前記ドラムの径方向において前記第１テープと前記第２テープとの間に挟み込まれた前記紙葉類の外側に位置するように前記第１テープおよび前記第２テープが前記紙葉類とともに前記ドラムに巻き取られて前記紙葉類が収納され、
前記繰出動作では、前記第１テープが前記第１リールに巻き取られるとともに前記第２テープが前記第２リールに巻き取られて前記紙葉類が前記ドラムから繰り出され、
前記収納動作および前記繰出動作の少なくとも一方において、前記第１テープに作用する張力は、前記第２テープに作用する張力よりも大きくなっている
ことを特徴とする紙葉類収納装置。
【請求項２】
請求項１において、
前記第１リールに作用するトルクおよび前記第２リールに作用するトルクをそれぞれ制御するトルク制御部を備えている
ことを特徴とする紙葉類収納装置。
【請求項３】
請求項２において、
前記トルク制御部は、前記第１リールに作用するトルクを規制する第１トルクリミッタと、前記第２リールに作用するトルクを規制する第２トルクリミッタとを有し、
前記第１トルクリミッタにより規制される前記第１リールの最大トルクは、前記第２トルクリミッタにより規制される前記第２リールの最大トルクよりも大きくなっている
ことを特徴とする紙葉類収納装置。
【請求項４】
請求項２において、
前記第１リールを回転駆動させる第１駆動部と、
前記第２リールを回転駆動させる第２駆動部とを備え、
前記トルク制御部は、前記収納動作および前記繰出動作の少なくとも一方において、前記第１駆動部が前記第１リールを回転駆動させるときに前記第１リールに作用するトルクが前記第２駆動部が前記第２リールを回転駆動させるときに前記第２リールに作用するトルクよりも大きくなるように、前記第１駆動部と前記第２駆動部とを制御する
ことを特徴とする紙葉類収納装置。
【請求項５】
請求項１〜４のいずれか１項において、
前記第１リールにおける前記第１テープの巻径は、前記第２リールにおける前記第２テープの巻径よりも小さくなっている
ことを特徴とする紙葉類収納装置。
【請求項６】
請求項１〜５のいずれか１項において、
前記第１テープの厚みは、前記第２テープの厚みよりも厚くなっている
ことを特徴とする紙葉類収納装置。
【請求項７】
請求項１〜６のいずれか１項において、
前記第１テープの幅は、前記第２テープの幅よりも広くなっている
ことを特徴とする紙葉類収納装置。
【請求項８】
請求項１〜７のいずれか１項において、
前記第１テープの剛性は、前記第２テープの剛性よりも高くなっている
ことを特徴とする紙葉類収納装置。
【請求項９】
請求項１〜８のいずれか１項において、
前記第１および第２テープは、前記ドラムの径方向において互いに重なるように前記ドラムに巻き取られる
ことを特徴とする紙葉類収納装置。
【請求項１０】
請求項１〜９のいずれか１項において、
前記第１および第２テープは、前記ドラムの径方向において互いに重ならないように前記ドラムに巻き取られる
ことを特徴とする紙葉類収納装置。
【請求項１１】
請求項１〜１０のいずれか１項に記載の紙葉類収納装置を備えている
ことを特徴とする紙葉類処理機。
【発明の詳細な説明】
【技術分野】
【０００１】
ここに開示する技術は、紙葉類収納装置および紙葉類処理機に関する。
【背景技術】
【０００２】
従来、紙幣などの紙葉類の収納と繰出を行う紙葉類収納装置が知られている。例えば、特許文献１には、２本１組で媒体を挟持するテープをテープリールとドラムとの間で巻き取る又は巻き戻すことで媒体を収納又は繰り出す媒体収納繰出装置が開示されている。この媒体収納繰出装置は、複数組のテープと、複数組のテープのそれぞれを巻き取る複数組のテープリールと、テープリールの回転軸であり各組の一方のテープリールと他方のテープリールとで別々に設けられる２本のリール回転軸シャフトと、複数組のテープにより挟持された媒体を複数組のテープと共に巻き取るドラムと、テープリールごとに独立して設けられ、各テープリールとドラムとの間で各テープの張力が一定となるように、各テープリールとリール軸シャフトとの間のトルク制御を行うトルクリミッタとを備えている。
【先行技術文献】
【特許文献】
【０００３】
【特許文献１】特開２０１３−１９９３６５号公報
【発明の概要】
【発明が解決しようとする課題】
【０００４】
しかしながら、特許文献１では、トルクリミッタの性能が均一でなかったり、テープの形状や強度が均一でなかったり、リールの巻径が異なったりするなどの原因により、紙葉類が間に挟み込まれてドラムに巻き付けられる２つのテープにそれぞれ作用する張力を常に一定にすることができない場合がある。特に、紙葉類が間に挟み込まれてドラムに巻き付けられる２つのテープのうちドラムの径方向において紙葉類の外側に位置するテープに作用する張力が、ドラムの径方向において紙葉類の内側に位置するテープに作用する張力よりも小さくなると、ドラムの径方向において紙葉類の外側に位置するテープが緩みやすくなり、ドラムにおける紙葉類の巻き付け状態が悪化しやすくなる。
【０００５】
そこで、ここに開示する技術は、ドラムにおける紙葉類の巻き付け状態の悪化を抑制することが可能な紙葉類収納装置を提供することを目的とする。
【課題を解決するための手段】
【０００６】
ここに開示する技術は、送り込まれた紙葉類を収納する収納動作と前記紙葉類を繰り出す繰出動作とを行う紙葉類収納装置に関し、この紙葉類収納装置は、第１テープと、第２テープと、前記第１テープの一端が接続されて前記第１テープを巻き取り可能に構成された第１リールと、前記第２テープの一端が接続されて前記第２テープを巻き取り可能に構成された第２リールと、前記第１テープおよび前記第２テープの他端が接続されて前記第１テープおよび前記第２テープを巻き取り可能に構成されたドラムとを備えている。前記収納動作では、前記第１テープと前記第２テープとの間に前記紙葉類が挟み込まれ、前記第１テープが前記ドラムの径方向において前記第１テープと前記第２テープとの間に挟み込まれた前記紙葉類の外側に位置するように前記第１テープおよび前記第２テープが前記紙葉類とともに前記ドラムに巻き取られて前記紙葉類が収納される。前記繰出動作では、前記第１テープが前記第１リールに巻き取られるとともに前記第２テープが前記第２リールに巻き取られて前記紙葉類が前記ドラムから繰り出される。前記収納動作および前記繰出動作の少なくとも一方において、前記第１テープに作用する張力は、前記第２テープに作用する張力よりも大きくなっている。
【０００７】
前記の構成では、収納動作（または繰出動作）において第１テープに作用する張力を第２テープに作用する張力よりも大きくすることにより、紙葉類が間に挟み込まれてドラムに巻き付けられる第１および第２テープのうちドラムの径方向において紙葉類の外側に位置する第１テープをドラムに強く巻き付けることができる。これにより、収納動作（または繰出動作）において第１テープを緩みにくくすることができるので、ドラムにおける紙葉類の巻き付け状態の悪化を抑制することができる。
【０００８】
前記紙葉類収納装置は、前記第１リールに作用するトルクおよび前記第２リールに作用するトルクをそれぞれ制御するトルク制御部を備えていてもよい。
【０００９】
前記の構成では、第１リールに作用するトルクを制御することにより、第１テープに作用する張力を制御することができ、第２リールに作用するトルクを制御することにより、第２テープに作用する張力を制御することができる。
【００１０】
前記トルク制御部は、前記第１リールに作用するトルクを規制する第１トルクリミッタと、前記第２リールに作用するトルクを規制する第２トルクリミッタとを有していてもよい。そして、前記第１トルクリミッタにより規制される前記第１リールの最大トルクは、前記第２トルクリミッタにより規制される前記第２リールの最大トルクよりも大きくなっていてもよい。
【００１１】
前記の構成では、第１リールの最大トルクは、第２リールの最大トルクよりも大きくなっている。第１リールに作用するトルクが大きくなるに連れて、第１テープに作用する張力が大きくなる傾向にある。これと同様に、第２リールに作用するトルクが大きくなるに連れて、第２テープに作用する張力が大きくなる傾向にある。したがって、第１リールの最大トルクを第２リールの最大トルクよりも大きくすることにより、第１テープに作用する張力を第２テープに作用する張力よりも大きくすることができる。これにより、第１テープを緩みにくくすることができるので、ドラムにおける紙葉類の巻き付け状態の悪化を抑制することができる。
【００１２】
前記紙葉類収納装置は、前記第１リールを回転駆動させる第１駆動部と、前記第２リールを回転駆動させる第２駆動部とを備えていてもよい。そして、前記トルク制御部は、前記収納動作および前記繰出動作の少なくとも一方において、前記第１駆動部が前記第１リールを回転駆動させるときに前記第１リールに作用するトルクが前記第２駆動部が前記第２リールを回転駆動させるときに前記第２リールに作用するトルクよりも大きくなるように、前記第１駆動部と前記第２駆動部とを制御するように構成されていてもよい。
【００１３】
前記の構成では、第１駆動部と第２駆動部とを制御することにより、収納動作（または繰出動作）において第１テープに作用する張力を第２テープに作用する張力よりも大きくすることができる。これにより、第２テープよりも第１テープをドラムに強く巻き付けることができるので、収納動作（または繰出動作）において第１テープを緩みにくくすることができる。その結果、ドラムにおける紙葉類の巻き付け状態の悪化を抑制することができる。
【００１４】
前記第１リールにおける前記第１テープの巻径は、前記第２リールにおける前記第２テープの巻径よりも小さくなっていてもよい。
【００１５】
前記の構成では、第１リールにおける第１テープの巻径は、第２リールにおける第２テープの巻径よりも小さくなっている。なお、第１リールにおける第１テープの巻径が小さくなるに連れて、第１テープに作用する張力が大きくなる傾向にある。これと同様に、第２リールにおける第２テープの巻径が小さくなるに連れて、第２テープに作用する張力が大きくなる傾向にある。したがって、第１リールにおける第１テープの巻径を第２リールにおける第２テープの巻径よりも小さくすることにより、第１テープに作用する張力を第２テープに作用する張力よりも大きくすることができる。これにより、第１テープを緩みにくくすることができるので、ドラムにおける紙葉類の巻き付け状態の悪化を抑制することができる。
【００１６】
前記第１テープの厚みは、前記第２テープの厚みよりも厚くなっていてもよい。
【００１７】
前記の構成では、第１テープの厚みを第２テープの厚みよりも厚くすることにより、第１テープの張力に対する耐久性を向上させることができる。これにより、第１テープの張力による劣化を抑制することができる。また、第１テープと第２テープとの間に挟み込まれた紙葉類の反力に対する第１テープの強度を向上させることができるので、第１テープにより紙葉類をドラムに強く巻き付けることができる。これにより、ドラムにおける紙葉類の巻き付け状態の悪化を抑制することができる。また、第２テープの厚みを第１テープの厚みよりも薄くすることにより、ドラムの見かけの半径を小さくすることができる。
【００１８】
前記第１テープの幅は、前記第２テープの幅よりも広くなっていてもよい。
【００１９】
前記の構成では、第１テープの幅を第２テープの幅よりも広くすることにより、第１テープの張力に対する耐久性を向上させることができる。これにより、第１テープの張力による劣化を抑制することができる。また、第１テープと紙葉類との接触面積を広くすることができるので、第１テープにより紙葉類をドラムに強く巻き付けることができる。これにより、ドラムにおける紙葉類の巻き付け状態の悪化を抑制することができる。
【００２０】
前記第１テープの剛性は、前記第２テープの剛性よりも高くなっていてもよい。
【００２１】
前記の構成では、第１テープの剛性を第２テープの剛性よりも高くすることにより、第１テープの張力に対する耐久性を向上させることができる。これにより、第１テープの張力による劣化を抑制することができる。また、第１テープと第２テープとの間に挟み込まれた紙葉類の反力に対する第１テープの強度を向上させることができるので、第１テープにより紙葉類をドラムに強く巻き付けることができる。これにより、ドラムにおける紙葉類の巻き付け状態の悪化を抑制することができる。
【００２２】
前記第１および第２テープは、前記ドラムの径方向において互いに重なるように前記ドラムに巻き取られるように構成されていてもよい。
【００２３】
前記第１および第２テープは、前記ドラムの径方向において互いに重ならないように前記ドラムに巻き取られるように構成されていてもよい。
【００２４】
ここに開示する技術は、紙葉類処理機に関し、この紙葉類処理機は、前記紙葉類収納装置を備えている。
【００２５】
前記の構成では、ドラムにおける紙葉類の巻き付け状態の悪化を抑制することができるので、紙葉類収納装置における紙葉類の巻き付け不良に起因する紙葉類処理機の休止の頻度を低減することができる。
【発明の効果】
【００２６】
以上のように、ここに開示する技術によれば、ドラムにおける紙葉類の巻き付け状態の悪化を抑制することができる。
【図面の簡単な説明】
【００２７】
【図１】紙葉類処理機の外観を例示する概略斜視図である。
【図２】紙葉類処理機の内部構成を例示する概略図である。
【図３】紙葉類収納装置の構成を例示する概略断面図である。
【図４】紙葉類収納装置の構成を例示する概略断面図である。
【図５】紙葉類収納装置の要部を例示する概略平面図である。
【図６】紙葉類収納装置の要部を例示する概念図である。
【図７】紙葉類収納装置の要部を例示する概略斜視図である。
【図８】紙葉類収納装置の変形例１を例示する概略平面図である。
【図９】紙葉類収納装置の変形例２を例示する概略断面図である。
【図１０】紙葉類収納装置の変形例３を例示する概略断面図である。
【図１１】紙葉類収納装置の変形例３を例示する概略断面図である。
【図１２】紙葉類収納装置の変形例３の要部を例示する概念図である。
【図１３】紙葉類収納装置の変形例３の要部を例示する概略斜視図である。
【図１４】紙葉類収納装置の変形例４を例示する概略斜視図である。
【図１５】紙葉類収納装置の変形例５を例示する概略斜視図である。
【図１６】第１および第２テープの変形例１を例示する概念図である。
【図１７】第１および第２テープの変形例２を例示する概略平面図である。
【図１８】第１および第２テープの変形例４を例示する概略断面図である。
【図１９】第１および第２テープの変形例５を例示する概略断面図である。
【図２０】第１および第２テープの変形例６を例示する概略断面図である。
【発明を実施するための形態】
【００２８】
以下、実施の形態を図面を参照して詳しく説明する。なお、図中同一または相当部分には同一の符号を付しその説明は繰り返さない。
【００２９】
（紙葉類処理機）
図１および図２は、実施形態による紙葉類処理機１０の外観および内部構成を例示している。紙葉類処理機１０は、紙葉類を処理するように構成されている。この例では、紙葉類処理機１０は、紙幣（紙葉類の一例）を処理する紙幣処理機を構成している。このような紙幣処理機は、例えば、銀行などの金融機関や小売店舗のバックオフィスなどに設置される。
【００３０】
紙葉類処理機１０は、処理部２０と、金庫部３０と、制御部１１とを備えている。処理部２０は、処理側筐体２１と、入金部２２と、出金部２３と、一時保留部２４と、処理側搬送部２５と、識別部２６とを有している。金庫部３０は、金庫側筐体３１と、複数（この例では８つ）の収納部３２と、金庫側搬送部３３とを有している。
【００３１】
〔処理側筐体〕
処理側筐体２１は、直方体型の箱状に形成され、入金部２２と出金部２３と一時保留部２４と識別部２６と処理側搬送部２５とを収納している。
【００３２】
〔入金部〕
入金部２２は、紙幣が投入されるように構成されている。この例では、入金部２２は、処理側筐体２１の上面に開口する入金口を有し、その入金口を通じて紙幣を受け入れるように構成されている。また、入金部２２には、入金部２２に投入された紙幣を一枚ずつ処理側搬送部２５に繰り出す繰出機構が設けられている。
【００３３】
〔出金部〕
出金部２３は、紙幣を払い出すように構成されている。この例では、出金部２３は、処理側筐体２１の上面に開口する出金口を有し、複数枚の紙幣を集積するように構成されている。出金部２３に集積された紙幣は、出金口を通じて出金部２３から取り出される。なお、出金部２３には、出金口を開閉するシャッタが設けられていてもよい。
【００３４】
〔一時保留部〕
一時保留部２４は、紙幣を一時的に保留（収納）するように構成されている。また、一時保留部２４は、一時的に保留している紙幣を繰り出すように構成されている。この例では、一時保留部２４は、紙葉類収納装置４０によって構成されている。なお、紙葉類収納装置４０については、後で詳しく説明する。
【００３５】
〔処理側搬送部〕
処理側搬送部２５は、処理部２０内において紙幣を搬送するように構成されている。この例では、処理側搬送部２５は、入金部２２と出金部２３と一時保留部２４と金庫側搬送部３３とに接続される搬送路を有し、入金部２２と出金部２３と一時保留部２４と金庫側搬送部３３との間において紙幣を搬送するように構成されている。また、この例では、処理側搬送部２５は、紙幣の短手方向が搬送方向に沿うように紙幣を搬送する。なお、処理側搬送部２５の搬送路には、例えば、紙幣を搬送するための搬送機構（例えば複数のローラや複数のベルト）や、紙幣の搬送を案内するためのガイド部材や、紙幣の搬送方向を切り換えるための分岐機構（例えば分岐爪）や、紙幣の通過を検知する通過センサなどが設けられている。そして、処理側搬送部２５は、例えば、搬送路に設けられた搬送機構や分岐機構を駆動させるための駆動機構（例えばモータやギア）を有している。
【００３６】
〔識別部〕
識別部２６は、紙幣に対して識別処理を行うように構成されている、識別処理では、紙幣の真偽や金種や正損などが識別される。この例では、識別部２６は、処理側搬送部２５の搬送路に設けられ、その搬送路を通過する紙幣に対して識別処理を行うように構成されている。例えば、識別部２６は、ラインセンサや磁気センサや画像センサなどの各種センサと、ＣＰＵなどの演算処理部と、演算処理部を動作させるためのプログラムや情報を記憶するメモリなどの記憶部とによって構成されている。
【００３７】
〔金庫側筐体〕
金庫側筐体３１は、直方体型の箱状に形成され、収納部３２と金庫側搬送部３３とを収納している。なお、金庫側筐体３１の防護レベルは、処理側筐体２１の防護レベルよりも高くなっている。
【００３８】
〔収納部〕
収納部３２は、紙幣を収納するように構成されている。また、収納部３２は、収納している紙幣を繰り出すように構成されている。例えば、収納部３２は、予め割り当てられた金種の紙幣を収納する金種別収納部を構成している。あるいは、収納部３２は、複数の金種の紙幣を収納する混合収納部を構成していてもよい。この例では、収納部３２は、紙葉類収納装置４０によって構成されている。なお、紙葉類収納装置４０については、後で詳しく説明する。
【００３９】
〔金庫側搬送部〕
金庫側搬送部３３は、金庫部３０内において紙幣を搬送するように構成されている。この例では、金庫側搬送部３３は、複数の収納部３２と処理側搬送部２５とに接続される搬送路を有し、複数の収納部３２と処理側搬送部２５との間において紙幣を搬送するように構成されている。また、この例では、処理側搬送部２５と同様に、金庫側搬送部３３は、紙幣の短手方向が搬送方向に沿うように紙幣を搬送する。なお、金庫側搬送部３３の搬送路には、例えば、紙幣を搬送するための搬送機構（例えば複数のローラや複数のベルト）や、紙幣の搬送を案内するためのガイド部材や、紙幣の搬送方向を切り換えるための分岐機構（例えば分岐爪）や、紙幣の通過を検知する通過センサなどが設けられている。そして、金庫側搬送部３３は、例えば、搬送路に設けられた搬送機構や分岐機構を駆動させるための駆動機構（例えばモータやギア）を有している。
【００４０】
〔制御部〕
制御部１１は、紙葉類処理機１０の各部（この例では入金部２２と出金部２３と一時保留部２４と処理側搬送部２５と識別部２６と収納部３２と金庫側搬送部３３）と信号を伝達可能に接続されている。また、制御部１１は、紙葉類処理機１０に設けられた各種センサ（例えば通過センサなど）の検知信号を受信する。そして、制御部１１は、紙葉類処理機１０の各部および各種センサからの信号や情報に基づいて、紙葉類処理機１０において各種処理（例えば入金処理や出金処理など）が行われるように紙葉類処理機１０の各部を制御して紙葉類処理機１０の動作を制御する。例えば、制御部１１は、ＣＰＵなどの演算処理部と、演算処理部を動作させるためのプログラムや情報を記憶するメモリなどの記憶部とによって構成されている。
【００４１】
（紙葉類収納装置）
次に、図３〜図６を参照して、紙葉類収納装置４０について説明する。紙葉類収納装置４０は、送り込まれた紙葉類（この例では紙幣）を収納する収納動作と、収納動作において収納された紙葉類を繰り出す繰出動作とを行うように構成されている。この例では、紙葉類収納装置４０は、筐体４１と、収納機構４２とを備えている。
【００４２】
なお、図３は、紙葉類の収納量がゼロである紙葉類収納装置４０を例示し、図４は、紙葉類の収納量が満量である紙葉類収納装置４０を例示している。また、図６では、理解を容易にするために、紙葉類収納装置４０の各部の間隔が広く描かれ、第１テープ５１が実線で示され、第２テープ５２が破線で示されている。
【００４３】
また、以下では、説明の便宜上、図３および図４の紙面における左右方向を“Ｘ軸方向”とし、図３および図４における紙面の上下方向を“Ｙ軸方向”とし、図３および図４における紙面に直交する方向を“Ｚ軸方向”とする。
【００４４】
〔筐体〕
筐体４１は、直方体型の箱状に形成されて収納機構４２を収納している。また、筐体４１には、出入口４００が設けられている。出入口４００は、紙葉類を通過させることができるように構成されている。この紙葉類収納装置４０では、出入口４００を通じて紙葉類の収納と繰出が行われる。
【００４５】
〔収納機構〕
収納機構４２は、第１テープ５１と、第２テープ５２と、第１リール５３と、第２リール５４と、ドラム５５とを備えている。また、図５に示すように、この例では、収納機構４２は、第１リール軸６１と、第２リール軸６２と、ドラム軸６３と、第１トルクリミッタ５７と、第２トルクリミッタ５８と、駆動機構６０とを備えている。
【００４６】
〈第１および第２テープ〉
第１テープ５１および第２テープ５２は、それぞれ帯状に形成されている。
【００４７】
図５に示すように、この例では、第１テープ５１および第２テープ５２がそれぞれ２つずつ設けられている。すなわち、この例では、紙葉類収納装置４０は、２つの第１テープ５１および２つの第２テープ５２を備えている。以下では、２つの第１テープ５１の一方を「第１テープ５１ａ」と記載し他方を「第１テープ５１ｂ」と記載し、２つの第２テープ５２の一方を「第２テープ５２ａ」と記載し他方を「第２テープ５２ｂ」と記載する。この例では、２つの第１テープ５１ａ，５１ｂがＺ軸方向に並んで配置され、２つの第２テープ５２ａ，５２ｂがＺ軸方向に並んで配置されている。
【００４８】
〈第１および第２リール〉
第１リール５３および第２リール５４には、第１テープ５１の一端および第２テープ５２の一端がそれぞれ接続される。また、第１リール５３および第２リール５４は、第１テープ５１および第２テープ５２をそれぞれ巻き取り可能に構成されている。具体的には、第１リール５３および第２リール５４は、それぞれ円筒状に形成されている。そして、第１リール５３の外周面に第１テープ５１の一端が固定（例えば接着剤などにより接着）され、第２リール５４の外周面に第２テープ５２の一端が固定（例えば接着剤などにより接着）されている。なお、この例では、第１リール５３における第１テープ５１の巻径は、第２リール５４における第２テープ５２の巻径と同一となっている。
【００４９】
図５に示すように、この例では、第１リール５３および第２リール５４がそれぞれ２つずつ設けられている。すなわち、この例では、紙葉類収納装置４０は、２つの第１テープ５１および２つの第２テープ５２にそれぞれ対応する２つの第１リール５３および２つの第２リール５４を備えている。以下では、２つの第１リール５３の一方を「第１リール５３ａ」と記載し他方を「第１リール５３ｂ」と記載し、２つの第２リール５４の一方を「第２リール５４ａ」と記載し他方を「第２リール５４ｂ」と記載する。
【００５０】
詳しく説明すると、この例では、紙葉類収納装置４０は、Ｚ軸方向の一端側（図５では上側）に配置された第１テープ５１ａに対応する第１リール５３ａと、Ｚ軸方向の他端側（図５では下側）に配置された第１テープ５１ｂに対応する第１リール５３ｂと、Ｚ軸方向の一端側に配置された第２テープ５２ａに対応する第２リール５４ａと、Ｚ軸方向の他端側に配置された第２テープ５２ｂに対応する第２リール５４ｂとを備えている。
【００５１】
〈ドラム〉
ドラム５５には、第１テープ５１の他端および第２テープ５２の他端が接続される。また、ドラム５５は、第１テープ５１および第２テープ５２を巻き取り可能に構成されている。具体的には、ドラム５５は、円筒状に形成されている。そして、ドラム５５の外周面に第１テープ５１の他端および第２テープ５２の他端が固定（例えば接着剤などにより接着）されている。
【００５２】
図５に示すように、この例では、第１テープ５１および第２テープ５２は、ドラム５５の径方向において互いに重なるようにドラム５５に巻き取られる。すなわち、第１テープ５１のドラム５５の軸方向における位置は、第２テープ５２のドラム５５の軸方向における位置と同一となっている。
【００５３】
詳しく説明すると、この例では、ドラム５５には、２つの第１テープ５１ａ，５１ｂの他端と２つの第２テープ５２ａ，５２ｂの他端が接続されている。そして、第１テープ５１ａおよび第２テープ５２ａは、ドラム５５の径方向において互いに重なるようにドラム５５に巻き取られ、第１テープ５１ｂおよび第２テープ５２ｂは、ドラム５５の径方向において互いに重なるようにドラム５５に巻き取られる。すなわち、第１テープ５１ａのドラム５５の軸方向における位置は、第２テープ５２ａのドラム５５の軸方向における位置と同一となっており、第１テープ５１ｂのドラム５５の軸方向における位置は、第２テープ５２ｂのドラム５５の軸方向における位置と同一となっている。ただし、第１テープ５１ｂのドラム５５の軸方向における位置は、第１テープ５１ａおよび第２テープ５２ａの各々のドラム５５の軸方向における位置とは異なっている。
【００５４】
〈第１および第２リール軸とドラム軸〉
図５に示すように、第１リール軸６１および第２リール軸６２は、それぞれＺ軸方向に延伸して筐体４１内において回転可能にそれぞれ支持されている。ドラム軸６３は、Ｚ軸方向に延伸して筐体４１内において回転可能に支持されている。ドラム軸６３には、ドラム５５が固定されている。
【００５５】
〈第１および第２トルクリミッタ〉
図５に示すように、第１トルクリミッタ５７および第２トルクリミッタ５８は、第１リール５３および第２リール５４にそれぞれ接続され、第１リール５３および第２リール５４に作用するトルクをそれぞれ規制するように構成されている。なお、この例では、第１トルクリミッタ５７と第２トルクリミッタ５８は、第１リール５３に作用するトルクおよび第２リール５４に作用するトルクをそれぞれ制御するトルク制御部を構成している。
【００５６】
具体的には、第１リール５３は、第１トルクリミッタ５７を介して第１リール軸６１に固定されている。そして、第１トルクリミッタ５７は、第１リール５３に作用するトルクが予め定められた第１設定トルクよりも小さい場合に、第１リール５３と第１リール軸６１とを連結して第１リール５３と第１リール軸６１との間においてトルクを伝達し、第１リール５３に作用するトルクが上昇して第１設定トルクに到達すると、第１リール５３と第１リール軸６１と連結を解除して第１リール５３と第１リール軸６１との間におけるトルクの伝達を遮断するように構成されている。
【００５７】
これと同様に、第２リール５４は、第２トルクリミッタ５８を介して第２リール軸６２に固定されている。そして、第２トルクリミッタ５８は、第２リール５４に作用するトルクが予め定められた第２設定トルクよりも小さい場合に、第２リール５４と第２リール軸６２とを連結して第２リール５４と第２リール軸６２との間においてトルクを伝達し、第２リール５４に作用するトルクが上昇して第２設定トルクに到達すると、第２リール５４と第２リール軸６２と連結を解除して第２リール５４と第２リール軸６２との間におけるトルクの伝達を遮断するように構成されている。
【００５８】
図５に示すように、この例では、第１トルクリミッタ５７および第２トルクリミッタ５８がそれぞれ２つずつ設けられている。すなわち、この例では、紙葉類収納装置４０は、２つの第１リール５３および２つの第２リール５４にそれぞれ対応する２つの第１トルクリミッタ５７および２つの第２トルクリミッタ５８を備えている。以下では、２つの第１トルクリミッタ５７の一方を「第１トルクリミッタ５７ａ」と記載し他方を「第１トルクリミッタ５７ｂ」と記載し、２つの第２トルクリミッタ５８の一方を「第２トルクリミッタ５８ａ」と記載し他方を「第２トルクリミッタ５８ｂ」と記載する。
【００５９】
詳しく説明すると、この例では、紙葉類収納装置４０は、第１リール５３ａに接続されて第１リール５３ａに作用するトルクを規制する第１トルクリミッタ５７ａと、第１リール５３ｂに接続されて第１リール５３ｂに作用するトルクを規制する第１トルクリミッタ５７ｂと、第２リール５４ａに接続されて第２リール５４ａに作用するトルクを規制する第２トルクリミッタ５８ａと、第２リール５４ｂに接続されて第２リール５４ｂに作用するトルクを規制する第２トルクリミッタ５８ｂとを備えている。第１リール５３ａは、第１トルクリミッタ５７ａを介して第１リール軸６１に固定されている。そして、第１トルクリミッタ５７ａは、第１リール５３ａに作用するトルクが第１設定トルクよりも小さい場合に、第１リール５３ａと第１リール軸６１とを連結して第１リール５３ａと第１リール軸６１との間においてトルクを伝達し、第１リール５３ａに作用するトルクが上昇して第１設定トルクに到達すると、第１リール５３ａと第１リール軸６１と連結を解除して第１リール５３ａと第１リール軸６１との間におけるトルクの伝達を遮断するように構成されている。なお、第１トルクリミッタ５７ｂおよび第２トルクリミッタ５８ａ，５８ｂの構成は、第１トルクリミッタ５７ａと同様となっている。
【００６０】
〈駆動機構〉
図５に示すように、駆動機構６０は、第１リール軸６１と第２リール軸６２とドラム軸６３とを回転駆動させるように構成されている。例えば、駆動機構６０は、トルクを発生させるモータと、モータのトルクを第１リール軸６１と第２リール軸６２とドラム軸６３とに伝達するための機械要素（例えばギアやワンウエイクラッチなど）とによって構成されている。
【００６１】
〈搬送ガイド〉
また、図３および図４に示すように、この例では、ドラム５５は、筐体４１の奥側（出入口４００から遠い側）に配置され、第１リール５３および第２リール５４は、筐体４１の出入口４００側に配置されている。そして、収納機構４２は、搬送ガイド７０を有している。
【００６２】
搬送ガイド７０は、出入口４００からドラム５５へ向けて延びる搬送路（紙葉類の搬送路）を有し、出入口４００とドラム５５との間において紙葉類を搬送するように構成されている。なお、この例では、搬送ガイド７０は、紙幣の短手方向が搬送方向に沿うように紙幣を搬送する。
【００６３】
また、この例では、搬送ガイド７０は、筐体４１内において出入口４００からドラム５５側（すなわち筐体４１の奥側）へ向けてＸ軸方向に延伸している。このような構成により、搬送ガイド７０は、筐体４１の内部空間を第１空間Ｓ１と第２空間Ｓ２とに隔てている。ドラム５５は、第１空間Ｓ１に配置されている。第１リール５３および第２リール５４は、第２空間Ｓ２に配置されている。また、搬送ガイド７０は、固定ガイド７１と可動ガイド７２とを有している。
【００６４】
〈固定ガイド〉
固定ガイド７１は、出入口４００から可動ガイド７２へ向けて延びる搬送路（紙葉類の搬送路）を有し、出入口４００と可動ガイド７２との間において紙葉類を搬送するように構成されている。この例では、固定ガイド７１は、紙葉類の搬送路を構成するガイド部材と、紙葉類を搬送するための搬送機構（この例では４つのローラ）と、搬送機構を駆動させるための駆動機構（例えばモータやギア）とを有している。
【００６５】
〈可動ガイド〉
可動ガイド７２は、固定ガイド７１からドラム５５へ向けて延びる搬送路（紙葉類の搬送路）を有し、固定ガイド７１とドラム５５との間において紙葉類を搬送するように構成されている。なお、可動ガイド７２は、図３において破線で囲まれた部分に相当する。
【００６６】
この例では、可動ガイド７２は、紙葉類の搬送路を構成するガイド部材と、第１搬送ベルト７３と、第２搬送ベルト７４と、第１搬送ベルト７３と第２搬送ベルト７４を駆動させるための駆動機構（例えばモータやギア）とを有している。第１搬送ベルト７３は、複数（この例では３つ）のプーリに巻き掛けられて回転可能となっている。第２搬送ベルト７４は、複数（この例では４つ）のプーリに巻き掛けられて回転可能となっている。第１搬送ベルト７３と第２搬送ベルト７４は、可動ガイド７２の搬送路の端部（固定ガイド７１に近い側の端部）に設けられ、所定の間隔をおいて互いに対向するように配置される。そして、第１搬送ベルト７３と第２搬送ベルト７４は、紙葉類を間に挟み込んで回転することで紙葉類を搬送するように構成されている。
【００６７】
また、可動ガイド７２は、Ｚ軸方向に延伸する揺動軸７２ａを中心として揺動するように構成されている。なお、この例では、揺動軸７２ａは、第１搬送ベルト７３が巻き掛けられる３つのプーリの中の１つのプーリの回転軸を構成している。そして、可動ガイド７２は、付勢部材（例えばバネ、図示を省略）により、その先端部がドラム５５に近づく方向（図３では時計回り方向）に付勢されている。また、可動ガイド７２の先端部には、押さえローラ７５が設けられている。押さえローラ７５は、ドラム５５に巻き取られたテープ（この例では第１テープ５１）の外周面に当接してテープを押さえるように構成されている。このような構成により、可動ガイド７２は、ドラム５５の見かけの径（すなわちドラム５５に巻き取られた第１テープ５１と第２テープ５２と紙葉類とにより構成されるドラム５５の最外周面の径）の変化に応じてＺ軸方向に延伸する揺動軸７２ａを中心として揺動する。
【００６８】
〈第１および第２搬送ローラ（挟持部）〉
また、この例では、収納機構４２は、第１搬送ローラ８１と第２搬送ローラ８２とを備えている。第１搬送ローラ８１と第２搬送ローラ８２は、可動ガイド７２の搬送路の端部（ドラム５５に近い側の端部）に設けられ、所定の間隔をおいて互いに対向するように配置される。そして、第１搬送ローラ８１と第２搬送ローラ８２は、第１テープ５１と第２テープ５２とを間に挟み込んで回転するように構成されている。第１搬送ローラ８１と第２搬送ローラ８２は、第１テープ５１と第２テープ５２との間に紙葉類を挟み込む挟持部８０を構成している。
【００６９】
〈ガイドローラと中間ローラと補助ローラ〉
また、この例では、収納機構４２は、複数（この例では２つ）の第１ガイドローラ８５と、複数（この例では７つ）の第２ガイドローラ８６と、中間ローラ８７と、補助ローラ８８とを備えている。
【００７０】
複数の第１ガイドローラ８５は、第１空間Ｓ１に設けられている。中間ローラ８７は、可動ガイド７２の中間部（具体的には第１搬送ベルト７３と第１搬送ローラ８１との間の部分）に設けられている。そして、複数の第１ガイドローラ８５と中間ローラ８７は、第１リール５３と挟持部８０との間において第１テープ５１を案内するように構成されている。すなわち、この例では、第１テープ５１は、第１リール５３から複数の第１ガイドローラ８５と中間ローラ８７と挟持部８０とに順に通過してドラム５５に到達している。
【００７１】
複数の第２ガイドローラ８６は、その一部（この例では５つ）が第１空間Ｓ１に配置され、その残部（この例では２つ）が第２空間Ｓ２に配置されている。そして、複数の第２ガイドローラ８６は、第２リール５４と挟持部８０との間において第２テープ５２を案内するように構成されている。すなわち、この例では、第２テープ５２は、第２リール５４から複数の第２ガイドローラ８６と挟持部８０とを順に通過してドラム５５に到達している。また、この例では、第２テープ５２は、可動ガイド７２の先端を迂回するように第１空間Ｓ１から第２空間Ｓ２に引き回されている。
【００７２】
補助ローラ８８は、可動ガイド７２の中間部に設けられている。そして、補助ローラ８８は、可動ガイド７２がドラム５５から遠ざかる方向（図３では反時計回り方向）に揺動すると、第１テープ５１に接触して第１テープ５１を案内するように構成されている。
【００７３】
〔紙葉類収納装置による動作〕
次に、紙葉類収納装置４０による動作について説明する。この紙葉類収納装置４０は、送り込まれた紙葉類を収納する収納動作と、収納動作において収納された紙葉類を繰り出す繰出動作とを行うように構成されている。
【００７４】
〈収納動作〉
収納動作では、第１リール５３と第２リール５４とが正方向（図３では時計回り方向）に回転する。これにより、図６に示すように、第１テープ５１および第２テープ５２の間に紙葉類１００が挟み込まれ、第１テープ５１および第２テープ５２が紙葉類１００とともにドラム５５に巻き取られる。このとき、第１テープ５１は、ドラム５５の径方向において紙葉類１００（第１テープ５１と第２テープ５２との間に挟み込まれた紙葉類１００）の外側に位置し、第２テープ５２は、その紙葉類の内側に位置する。詳しくは、第１テープ５１の内側（ドラム５５の径方向における内側）が紙葉類１００の外側（ドラム５５の径方向における外側）と接触し、第２テープ５２の外側が紙葉類１００の内側と接触する。このようにして、紙葉類１００が収納される。
【００７５】
具体的には、紙葉類収納装置４０の出入口４００に送り込まれた紙葉類は、固定ガイド７１の搬送路において出入口４００から可動ガイド７２へ向けて搬送されて可動ガイド７２に送り込まれる。可動ガイド７２に送り込まれた紙葉類は、可動ガイド７２の搬送路において、第１搬送ベルト７３および第２搬送ベルト７４により固定ガイド７１から中間ローラ８７へ向けて搬送され、中間ローラ８７と挟持部８０（第１搬送ローラ８１）との間に掛け渡された第１テープ５１により中間ローラ８７から挟持部８０へ向けて搬送され、挟持部８０において第１テープ５１と第２テープ５２との間に挟み込まれる。そして、挟持部８０において第１テープ５１と第２テープ５２との間に挟み込まれた紙葉類は、第１テープ５１および第２テープ５２とともにドラム５５に巻き取られる。
【００７６】
〈収納動作における回転制御〉
また、収納動作では、駆動機構６０は、第１テープ５１および第２テープ５２に張力が作用する状態で、第１リール５３と第２リール５４とドラム５５とが正方向（図５では実線の矢印で示した方向）に回転するように、第１リール軸６１と第２リール軸６２とドラム軸６３の回転を制御する。
【００７７】
この例では、駆動機構６０は、ドラム軸６３を正方向に回転させる。これにより、ドラム軸６３に固定されたドラム５５は、正方向に回転する。また、駆動機構６０は、第１リール軸６１および第２リール軸６２を回転させずに停止状態を維持する。これにより、第１トルクリミッタ５７を介して第１リール軸６１に固定された第１リール５３は、回転せずに停止状態を維持する。これと同様に、第２トルクリミッタ５８を介して第２リール軸６２に固定された第２リール５４は、回転せずに停止状態を維持する。
【００７８】
このように、ドラム５５が正方向に回転する一方で第１リール５３および第２リール５４が停止状態を維持することにより、第１リール５３および第２リール５４とドラム５５との間にそれぞれ掛け渡された第１テープ５１および第２テープ５２に張力が作用する。また、第１テープ５１および第２テープ５２に作用する張力に応じたトルクが第１リール５３および第２リール５４にそれぞれ作用する。
【００７９】
そして、第１テープ５１に作用する張力の上昇により第１リール５３に作用するトルクが上昇して第１トルクリミッタ５７の設定トルク（第１設定トルク）に到達すると、第１トルクリミッタ５７により第１リール５３と第２リール軸６２との連結が解除され、第１リール５３が正方向に回転するようになる。これと同様に、第２テープ５２に作用する張力の上昇により第２リール５４に作用するトルクが上昇して第２トルクリミッタ５８の設定トルク（第２設定トルク）に到達すると、第２トルクリミッタ５８により第２リール５４と第２リール軸６２との連結が解除され、第２リール５４が正方向に回転するようになる。
【００８０】
このような制御により、収納動作では、第１トルクリミッタ５７の設定トルク（第１設定トルク）に応じた張力が第１テープ５１に常に作用することになり、第２トルクリミッタ５８の設定トルク（第２設定トルク）に応じた張力が第２テープ５２に常に作用することになる。
【００８１】
なお、駆動機構６０は、収納動作においてドラム５５とともに第１リール軸６１および第２リール軸６２を回転駆動させるように構成されていてもよい。この場合、第１リール５３が第１テープ５１を巻き戻そうとする速さおよび第２リール５４が第２テープ５２を巻き戻そうとする速さがドラム５５が第１テープ５１および第２テープ５２を巻き取ろうとする速さよりも速くなるように、ドラム５５と第１リール軸６１と第２リール軸６２の回転を制御することにより、第１および第２設定トルクに応じた張力を第１および第２テープ５１，５２にそれぞれ作用させることができる。
【００８２】
〈繰出動作〉
繰出動作では、ドラム５５と第１リール５３と第２リール５４とが逆方向（図３では反時計回り方向）に回転する。これにより、第１テープ５１が第１リール５３に巻き取られるとともに第２テープ５２が第２リール５４に巻き取られ、第１テープ５１と第２テープ５２との間に挟み込まれた紙葉類１００がドラム５５から繰り出される。
【００８３】
具体的には、繰出動作の開始前では、第１テープ５１および第２テープ５２の間に紙葉類１００が挟み込まれ、第１テープ５１および第２テープ５２が紙葉類１００とともにドラム５５に巻き付けられている。このとき、第１テープ５１は、ドラム５５の径方向において紙葉類１００（第１テープ５１と第２テープ５２との間に挟み込まれた紙葉類１００）の外側に位置し、第２テープ５２は、その紙葉類の内側に位置している。詳しくは、第１テープ５１の内側（ドラム５５の径方向における内側）が紙葉類１００の外側（ドラム５５の径方向における外側）と接触し、第２テープ５２の外側が紙葉類１００の内側と接触している。そして、繰出動作が開始すると、第１テープ５１と第２テープ５２との間に挟み込まれて第１テープ５１および第２テープ５２とともにドラム５５に巻き取られている紙葉類は、可動ガイド７２の搬送路の端部（ドラム５５側の端部）に設けられた挟持部８０に搬送され、挟持部５０において第１テープ５１および第２テープ５２による挟持から解放され、挟持部８０（第１搬送ローラ８１）と中間ローラ８７との間に掛け渡された第１テープ５１により挟持部８０から中間ローラ８７へ向けて搬送され、第１搬送ベルト７３および第２搬送ベルト７４により中間ローラ８７から固定ガイド７１へ向けて搬送されて固定ガイド７１に送り込まれる。固定ガイド７１に送り込まれた紙葉類は、固定ガイド７１の搬送路において可動ガイド７２から出入口４００へ向けて搬送されて出入口４００から繰り出される。
【００８４】
〈繰出動作における回転制御〉
また、繰出動作では、駆動機構６０は、第１テープ５１および第２テープ５２に張力が作用する状態で、第１リール５３と第２リール５４とドラム５５とが逆方向（図５では実線の矢印で示した方向の逆方向）に回転するように、第１リール軸６１と第２リール軸６２とドラム軸６３の回転を制御する。
【００８５】
この例では、駆動機構６０は、ドラム軸６３を逆方向に回転させる。これにより、ドラム軸６３に固定されたドラム５５は、逆方向に回転する。また、駆動機構６０は、第１リール軸６１および第２リール軸６２を逆方向に回転させる。これにより、第１トルクリミッタ５７を介して第１リール軸６１に固定された第１リール５３は、逆方向に回転する。これと同様に、第２トルクリミッタ５８を介して第２リール軸６２に固定された第２リール５４は、逆方向に回転する。
【００８６】
また、駆動機構６０は、第１テープ５１および第２テープ５２に張力が作用するように第１リール軸６１と第２リール軸６２とドラム軸６３の回転を制御する。例えば、駆動機構６０は、第１リール５３および第２リール５４により第１テープ５１および第２テープ５２が巻き取られる（取り込まれる）速度がドラム５５により第１テープ５１および第２テープ５２が巻き戻される（送り出される）速度よりも常に速くなるように第１リール軸６１と第２リール軸６２とドラム軸６３の回転を制御する。
【００８７】
そして、第１テープ５１に作用する張力の上昇により第１リール５３に作用するトルクが上昇して第１トルクリミッタ５７の設定トルク（第１設定トルク）に到達すると、第１トルクリミッタ５７により第１リール５３と第２リール軸６２との連結が解除され、第１リール５３に滑りが生じることになる。これと同様に、第２テープ５２に作用する張力の上昇により第２リール５４に作用するトルクが上昇して第２トルクリミッタ５８の設定トルク（第２設定トルク）に到達すると、第２トルクリミッタ５８により第２リール５４と第２リール軸６２との連結が解除され、第２リール５４に滑りが生じることになる。
【００８８】
このような制御により、繰出動作では、第１トルクリミッタ５７の設定トルク（第１設定トルク）に応じた張力が第１テープ５１に常に作用することになり、第２トルクリミッタ５８の設定トルク（第２設定トルク）に応じた張力が第２テープ５２に常に作用することになる。
【００８９】
〔テープに作用する張力〕
この紙葉類収納装置４０では、収納動作において第１テープ５１に作用する張力は、収納動作において第２テープ５２に作用する張力よりも大きくなっている。これと同様に、繰出動作において第１テープ５１に作用する張力は、繰出動作において第２テープ５２に作用する張力よりも大きくなっている。例えば、第１テープ５１に作用する張力は、第２テープ５２に作用する張力の１１０〜１３０％の範囲となっている。図５を参照して詳しく説明すると、この例では、収納動作および繰出動作の両方において、第１テープ５１ａに作用する張力は、第２テープ５２ａに作用する張力よりも大きくなっており、第１テープ５１ｂに作用する張力は、第２テープ５２ｂに作用する張力よりも大きくなっている。
【００９０】
具体的には、この例では、第１トルクリミッタ５７により規制される第１リール５３の最大トルクは、第２トルクリミッタ５８により規制される第２リール５４の最大トルクよりも大きくなっている。具体的には、第１トルクリミッタ５７の設定トルク（第１設定トルク）は、第２トルクリミッタ５８の設定トルク（第２設定トルク）よりも大きくなっている。図５を参照して詳しく説明すると、この例では、第１トルクリミッタ５７ａの設定トルクは、第２トルクリミッタ５８ａの設定トルクよりも大きくなっており、第１トルクリミッタ５７ｂの設定トルクは、第２トルクリミッタ５８ｂの設定トルクよりも大きくなっている。
【００９１】
第１リール５３に作用するトルクが大きくなるに連れて、第１テープ５１に作用する張力が大きくなる傾向にある。これと同様に、第２リール５４に作用するトルクが大きくなるに連れて、第２テープ５２に作用する張力が大きくなる傾向にある。したがって、第１リール５３の最大トルクを第２リール５４の最大トルクよりも大きくすることにより、第１テープ５１に作用する張力を第２テープ５２に作用する張力よりも大きくすることができる。
【００９２】
〔実施形態による効果〕
以上のように、収納動作において第１テープ５１に作用する張力を収納動作において第２テープ５２に作用する張力よりも大きくすることにより、紙葉類が間に挟み込まれてドラム５５に巻き付けられる第１テープ５１および第２テープ５２のうちドラム５５の径方向において紙葉類の外側に位置する第１テープ５１をドラム５５に強く巻き付けることができる。これにより、収納動作において第１テープ５１を緩みにくくすることができるので、ドラム５５における紙葉類の巻き付け状態の悪化を抑制することができる。
【００９３】
また、繰出動作において第１テープ５１に作用する張力を繰出動作において第２テープ５２に作用する張力よりも大きくすることにより、繰出動作において第１テープ５１を緩みにくくすることができる。これにより、ドラム５５における紙葉類の巻き付け状態の悪化を抑制することができる。
【００９４】
また、ドラム５５における紙葉類の巻き付け状態の悪化を抑制することができるので、紙葉類収納装置４０における紙葉類の巻き付け不良に起因する紙葉類処理機１０の休止の頻度を低減することができる。
【００９５】
〔当接部材〕
また、図３および図４に示すように、この例では、筐体４１内に、当接部材４３が設けられている。当接部材４３は、ドラム５５の見かけの径が予め定められた径よりも小さい場合に、ドラム５５に近づく方向（図３では時計回り方向）に付勢される可動ガイド７２の先端部と接触して可動ガイド７２の揺動（ドラム５５へ近づく方向への揺動）を規制するように構成されている。このような構成により、ドラム５５の見かけの径が予め定められた径よりも小さい場合に、可動ガイド７２の先端部に設けられた押さえローラ７５とドラム５５に巻き取られたテープ（この例では第１テープ５１）との接触を回避することができる。
【００９６】
ドラム５５に巻き取られた紙葉類の枚数が比較的に少ない場合（すなわちドラム５５の見かけの径が比較的に小さい場合）に、ドラム５５に巻き取られた第１テープ５１および第２テープ５２が押さえローラ７５に押さえられると、押さえローラ７５および可動ガイド７２の部品ばらつきや組立ばらつきに起因して第１テープ５１および第２テープ５２の位置がずれる可能性がある。なお、ドラム５５に巻き取られた紙葉類の枚数が比較的に多い場合（すなわちドラム５５の見かけの径が比較的に大きい場合）では、押さえローラ７５および可動ガイド７２の部品ばらつきや組立ばらつきに起因する第１テープ５１および第２テープ５２の位置ずれは、第１テープ５１および第２テープとともにドラム５５に巻き取られた紙葉類の摩擦により軽減される。
【００９７】
したがって、ドラム５５の見かけの径が予め定められた径よりも小さい場合に、可動ガイド７２の先端部に設けられた押さえローラ７５とドラム５５に巻き取られたテープ（この例では第１テープ５１）との接触を回避することにより、押さえローラ７５および可動ガイド７２の部品ばらつきや組立ばらつきに起因する第１テープ５１および第２テープ５２の位置ずれを防止することができる。
【００９８】
〔規制壁〕
また、図３および図７に示すように、この例では、可動ガイド７２に、規制壁７６が設けられている。図７に示すように、規制壁７６は、第２テープ５２の幅方向の両側に配置され、第２テープ５２の走行位置が幅方向にずれた場合に第２テープ５２に接触するように構成されている。このような構成により、第２テープ５２の走行位置のずれ（幅方向におけるずれ）を規制することができる。
【００９９】
（紙葉類収納装置の変形例１）
図８に示すように、駆動機構６０は、第１リール５３および第２リール５４にそれぞれ対応する第１駆動部６５および第２駆動部６６を有していてもよい。この紙葉類収納装置の変形例１では、図５に示した第１トルクリミッタ５７と第２トルクリミッタ５８が設けられておらず、第１リール５３は、第１リール軸６１に固定されて第１リール軸６１とともに回転駆動するように構成され、第２リール５４は、第２リール軸６２に固定されて第２リール軸６２とともに回転駆動するように構成されている。また、この変形例１では、紙葉類収納装置４０は、トルク制御部６７を備えている。なお、図８に示した紙葉類収納装置４０のその他の構成は、図３〜図７に示した紙葉類収納装置４０の構成と同様となっている。
【０１００】
〔駆動部〕
第１駆動部６５は、第１リール軸６１を回転駆動させて第１リール５３を回転駆動させるように構成されている。第２駆動部６６は、第２リール軸６２を回転駆動させて第２リール５４を回転駆動させるように構成されている。例えば、第１駆動部６５および第２駆動部６６は、モータによって構成されている。
【０１０１】
〔トルク制御部〕
トルク制御部６７は、第１リール５３に作用するトルクおよび第２リール５４に作用するトルクをそれぞれ制御するように構成されている。具体的には、トルク制御部６７は、収納動作および繰出動作の少なくとも一方において、第１駆動部６５が第１リール５３を回転駆動させるときに第１リール５３に作用するトルクが第２駆動部６６が第２リール５４を回転駆動させるときに第２リール５４に作用するトルクよりも大きくなるように、第１駆動部６５と第２駆動部６６とを制御するように構成されている。例えば、トルク制御部６７は、ＣＰＵなどの演算処理部と、演算処理部を動作させるためのプログラムや情報を記憶するメモリなどの記憶部とによって構成されている。なお、トルク制御部６７は、図２に示した制御部１１の一部であってもよい。
【０１０２】
〔紙葉類収納装置の変形例１による効果〕
以上のように、第１駆動部６５と第２駆動部６６とを制御することにより、収納動作（または繰出動作）において第１テープ５１に作用する張力を第２テープ５２に作用する張力よりも大きくすることができる。これにより、第２テープ５２よりも第１テープ５１をドラム５５に強く巻き付けることができるので、収納動作（または繰出動作）において第１テープ５１を緩みにくくすることができる。その結果、ドラム５５における紙葉類の巻き付け状態の悪化を抑制することができる。
【０１０３】
また、電気的な制御により第１リール５３に作用するトルクおよび第２リール５４に作用するトルクを容易に調節することができるので、これらのトルクを適切な大きさに設定することができる。
【０１０４】
なお、駆動機構６０は、ドラム軸６３を回転駆動させてドラム５５を回転駆動させるドラム駆動部（図示を省略）を有していてもよい。また、トルク制御部６７は、ドラム駆動部を制御してドラム軸６３に作用するトルクを制御するように構成されていてもよい。このような構成により、第１リール５３と第２リール５４とドラム軸６３の各々に作用するトルクを制御することができ、第１テープ５１と第２テープ５２の各々に作用する張力を調整することができる。
【０１０５】
（紙葉類収納装置の変形例２）
図９に示すように、第１リール５３における第１テープ５１の巻径Ｄ１は、第２リール５４における第２テープ５２の巻径Ｄ２よりも小さくなっていてもよい。図９に示した紙葉類収納装置の変形例２では、第１リール５３の径は、第２リール５４の径よりも小さくなっている。また、第１トルクリミッタ５７により規制される第１リール５３の最大トルクは、第２トルクリミッタ５８により規制される第２リール５４の最大トルクと同等となっている。なお、図９に示した紙葉類収納装置４０のその他の構成は、図３〜図７に示した紙葉類収納装置４０の構成と同様となっている。
【０１０６】
第１リール５３における第１テープ５１の巻径Ｄ１が小さくなるに連れて、第１テープ５１に作用する張力が大きくなる傾向にある。これと同様に、第２リール５４における第２テープ５２の巻径Ｄ２が小さくなるに連れて、第２テープ５２に作用する張力が大きくなる傾向にある。したがって、第１リール５３における第１テープ５１の巻径Ｄ１を第２リール５４における第２テープ５２の巻径Ｄ２よりも小さくすることにより、第１テープ５１に作用する張力を第２テープ５２に作用する張力よりも大きくすることができる。これにより、収納動作（または繰出動作）において第１テープ５１を緩みにくくすることができるので、ドラム５５における紙葉類の巻き付け状態の悪化を抑制することができる。
【０１０７】
なお、図９の例において、第１トルクリミッタ５７により規制される第１リール５３の最大トルク（具体的には第１設定トルク）は、第２トルクリミッタ５８により規制される第２リール５４の最大トルク（具体的には第２設定トルク）と異なっていてもよいし、第２トルクリミッタ５８により規制される第２リール５４の最大トルクよりも大きくなっていてもよい。すなわち、収納動作（または繰出動作）において第１テープ５１に作用する張力が収納動作（または繰出動作）において第２テープ５２に作用する張力よりも大きくなるように、第１トルクリミッタ５７により規制される第１リール５３の最大トルクと、第２トルクリミッタ５８により規制される第２リール５４の最大トルクと、第１リール５３における第１テープ５１の巻径Ｄ１と、第２リール５４における第２テープ５２の巻径Ｄ２とが設定されていてもよい。
【０１０８】
（紙葉類収納装置の変形例３）
図１０に示すように、第１テープ５１および第２テープ５２は、第１リール５３および第２リール５４からドラムまでの経路の一部が互いに重なるように、第１リール５３および第２リール５４と挟持部８０との間に掛け渡されていてもよい。以下、図１０〜図１３を参照して、紙葉類収納装置の変形例３について説明する。
【０１０９】
この変形例３では、収納機構４２は、複数の第１ガイドローラ８５と複数の第２ガイドローラ８６の一部に代えて、共通ローラ８９を有している。共通ローラ８９は、第１空間Ｓ１に配置され、第１リール５３および第２リール５４と挟持部８０との間において第１テープ５１および第２テープ５２を案内するように構成されている。すなわち、この例では、第１テープ５１は、共通ローラ８９と中間ローラ８７と挟持部８０とを順に通過してドラム５５に到達している。第２テープ５２は、複数の第２ガイドローラ８６と共通ローラ８９と中間ローラ８７と挟持部８０とを通過してドラム５５に到達している。このように、第１リール５３からドラム５５に至る第１テープ５１の経路と第２リール５４からドラム５５に至る第２テープ５２の経路は、共通ローラ８９から中間ローラ８７と挟持部８０とを順に経由してドラム５５に至る経路が互いに重なっている。
【０１１０】
また、図１２に示すように、第１テープ５１は、挟持部８０を通過した後にドラム５５に巻き取られる。一方、第２テープ５２は、挟持部８０を通過した後にドラム５５の外周面に沿うように巻き掛けられ、ドラム５５の外周面から離れて第２搬送ローラ８２に巻き掛けられた後に、ドラム５５に巻き取られる。
【０１１１】
なお、図１０〜図１３に示した紙葉類収納装置４０のその他の構成は、図３〜図７に示した紙葉類収納装置４０の構成と同様となっている。
【０１１２】
（紙葉類収納装置の変形例４）
図１４に示すように、紙葉類収納装置４０は、第１テープ５１と第２テープ５２とをそれぞれ１つずつ備えていてもよい。図１４の例では、紙葉類収納装置４０は、１つの第１テープ５１および１つの第２テープ５２にそれぞれ対応する１つの第１リール５３および１つの第２リール５４（図示を省略）と、ドラム５５と、１つの第１リール５３および１つの第２リール５４にそれぞれ対応する１つの第１トルクリミッタ５７および１つの第２トルクリミッタ５８（図示を省略）とを備えている。なお、図１４に示した紙葉類収納装置４０のその他の構成は、図３〜図７に示した紙葉類収納装置４０の構成と同様となっている。
【０１１３】
（紙葉類収納装置の変形例５）
図１５に示すように、第１テープ５１の数と第２テープ５２の数は、互いに異なっていてもよい。図１５の例では、紙葉類収納装置４０は、１つの第１テープ５１および２つの第２テープ５２と、１つの第１テープ５１および２つの第２テープ５２にそれぞれ対応する１つの第１リール５３および２つの第２リール５４（図示を省略）と、ドラム５５と、１つの第１リール５３および２つの第２リール５４にそれぞれ対応する１つの第１トルクリミッタ５７および２つの第２トルクリミッタ５８（図示を省略）とを備えている。なお、図１５に示しや紙葉類収納装置４０のその他の構成は、図３〜図７に示した紙葉類収納装置４０の構成と同様となっている。
【０１１４】
また、図１５の例では、第１テープ５１および第２テープ５２は、ドラム５５の径方向において互いに重ならないようにドラム５５に巻き取られている。すなわち、図１５の例では、第１テープ５１のドラム５５の軸方向における位置は、第２テープ５２のドラム５５の軸方向における位置と異なっている。
【０１１５】
以上の紙葉類収納装置の変形例３〜５においても、第１テープ５１は、ドラム５５の径方向において、ドラム５５に巻き取られている紙葉類（第１テープ５１と第２テープ５２との間に挟み込まれた紙葉類）の外側に位置し、第２テープ５２は、その紙葉類の内側に位置する。そして、収納動作および繰出動作の少なくとも一方において第１テープ５１に作用する張力を第２テープ５２に作用する張力よりも大きくすることにより、第２テープよりも第１テープ５１をドラム５５に強く巻き付けることができる。これにより、収納動作（または繰出動作）において第１テープ５１を緩みにくくすることができるので、ドラム５５における紙葉類の巻き付け状態の悪化を抑制することができる。
【０１１６】
（第１および第２テープの変形例１）
図１６に示すように、第１テープ５１の厚みは、第２テープ５２の厚みよりも厚くなっていてもよい。例えば、第１テープ５１は、複数枚のテープ（例えば第２テープ５２を構成するテープ）が貼り合わされて構成されていてもよい。
【０１１７】
以上のように、第１テープ５１の厚みを第２テープ５２の厚みよりも厚くすることにより、第１テープ５１の張力に対する耐久性を向上させることができる。これにより、第１テープ５１の張力による劣化を抑制することができる。
【０１１８】
また、第１テープ５１と第２テープ５２との間に挟み込まれた紙葉類の反力に対する第１テープ５１の強度を向上させることができるので、第１テープ５１により紙葉類をドラム５５に強く巻き付けることができる。これにより、ドラム５５における紙葉類の巻き付け状態の悪化を抑制することができる。
【０１１９】
また、第２テープ５２の厚みを第１テープ５１の厚みよりも薄くすることにより、ドラム５５の見かけの半径を小さくすることができる。これにより、ドラム５５を収納するために必要となるスペースを小さくすることができる。または、紙葉類収納装置４０に収納することができる紙葉類の枚数を増加させることができる。
【０１２０】
（第１および第２テープの変形例２）
図１７に示すように、第１テープ５１の幅は、第２テープ５２の幅よりも広くなっていてもよい。
【０１２１】
以上のように、第１テープ５１の幅を第２テープ５２の幅よりも広くすることにより、第１テープ５１の張力に対する耐久性を向上させることができる。これにより、第１テープ５１の張力による劣化を抑制することができる。
【０１２２】
また、第１テープ５１と紙葉類との接触面積を広くすることができるので、第１テープ５１により紙葉類をドラム５５に強く巻き付けることができる。これにより、ドラム５５における紙葉類の巻き付け状態の悪化を抑制することができる。
【０１２３】
（第１および第２テープの変形例３）
なお、第１テープ５１の剛性は、第２テープ５２の剛性よりも高くなっていてもよい。
【０１２４】
以上のように、第１テープ５１の剛性を第２テープ５２の剛性よりも高くすることにより、第１テープ５１の張力に対する耐久性を向上させることができる。これにより、第１テープ５１の張力による劣化を抑制することができる。
【０１２５】
また、第１テープ５１と第２テープ５２との間に挟み込まれた紙葉類の反力に対する第１テープ５１の強度を向上させることができるので、第１テープ５１により紙葉類をドラム５５に強く巻き付けることができる。これにより、ドラム５５における紙葉類の巻き付け状態の悪化を抑制することができる。
【０１２６】
（第１および第２テープの変形例４）
図１８に示すように、第１テープ５１のドラム５５側の厚みは、第１テープ５１の第１リール５３側の厚みよりも厚くなっていてもよい。これと同様に、第２テープ５２のドラム５５側の厚みは、第２テープ５２の第２リール５４側の厚みよりも厚くなっていてもよい。具体的には、第１テープ５１（または第２テープ５２）のうちドラム５５に固定される端部から所定の長さまでの部分の厚みが第１テープ５１（または第２テープ５２）の残りの部分の厚みよりも厚くなっていてもよい。なお、図１８は、第１テープ５１（または第２テープ５２）の長手方向と厚み方向に沿う断面を例示している。
【０１２７】
なお、ドラム５５の中心に近づくに連れて、ドラム５５に巻き取られた第１テープ５１と第２テープ５２と紙葉類の曲率半径が次第に小さくなっていく。そのため、ドラム５５の中心に近づくに連れて、第１テープ５１および第２テープ５２（特に第１テープ５１）により紙葉類を巻き付けることが困難となる。
【０１２８】
したがって、第１テープ５１のドラム５５側の厚みを第１テープ５１の第１リール５３側の厚みよりも厚くすることにより、第１テープ５１のうちドラム５５に巻き取られた場合にドラム５５の中心に近い側に位置する部分の厚みを厚くすることができる。これにより、第１テープ５１と第２テープ５２との間に挟み込まれた紙葉類の反力に対する第１テープ５１の強度を向上させることができるので、第１テープ５１により紙葉類をドラム５５に強く巻き付けることができる。その結果、ドラム５５における紙葉類の巻き付け状態の悪化を抑制することができる。
【０１２９】
また、第２テープ５２のドラム５５側の厚みを第２テープ５２の第２リール５４側の厚みよりも厚くすることにより、第２テープ５２のうちドラム５５に巻き取られた場合にドラム５５の中心に近い側に位置する部分の厚みを厚くすることができる。これにより、第１テープ５１と第２テープ５２との間に挟み込まれた紙葉類の反力に対する第２テープ５２の強度を向上させることができるので、第２テープ５２により紙葉類を第２テープ５２に沿うように湾曲させることができる。その結果、ドラム５５における紙葉類の巻き付け状態の悪化を抑制することができる。
【０１３０】
また、第１テープ５１の一端が接続された第１リール５３を紙葉類収納装置４０から取り外された状態で保管する場合、第１リール５３に第１テープ５１が巻き取られることになる。この場合、第１テープ５１のドラム５５側の部分は、第１リール５３に巻き取られた第１テープ５１の外周側に位置することになる。したがって、第１テープ５１のドラム５５側の厚みを第１テープ５１の第１リール５３側の厚みよりも厚くすることにより、第１リール５３に巻き取られた第１テープ５１のうち外周側に位置する部分の厚みを厚くすることができる。これにより、第１リール５３に巻き取られた第１テープ５１のうち外周側に位置する部分の傷に対する耐久性を向上させることができる。
【０１３１】
これと同様に、第２テープ５２の一端が接続された第２リール５４を紙葉類収納装置４０から取り外された状態で保管する場合、第２リール５４に第２テープ５２が巻き取られることになる。この場合、第２テープ５２のドラム５５側の部分は、第２リール５４に巻き取られた第２テープ５２の外周側に位置することになる。したがって、第２テープ５２のドラム５５側の厚みを第２テープ５２の第２リール５４側の厚みよりも厚くすることにより、第２リール５４に巻き取られた第２テープ５２のうち外周側に位置する部分の厚みを厚くすることができる。これにより、第２リール５４に巻き取られた第２テープ５２のうち外周側に位置する部分の傷に対する耐久性を向上させることができる。
【０１３２】
また、紙葉類収納装置４０が一時保留部２４として使用される場合、紙葉類収納装置４０に数枚の紙幣（紙葉類の一例）が一時的に収納された後に紙葉類収納装置４０から数枚の紙幣（一時的に収納された紙幣）が繰り出されるという動作が繰り返し行われる場合がある。この場合、第１テープ５１のドラム５５側の使用頻度が第１テープ５１の第１リール５３側の使用頻度よりも高くなる傾向にある。これと同様に、第２テープ５２のドラム５５側の使用頻度が第２テープ５２の第２リール５４側の使用頻度よりも高くなる傾向にある。
【０１３３】
したがって、紙葉類収納装置４０が上記のような一時保留部２４（すなわち数枚の紙幣を一時的に収納した後に数枚の紙幣を繰り出すという動作を繰り返し行う一時保留部２４）として使用される場合に、第１テープ５１のドラム５５側の厚みを第１テープ５１の第１リール５３側の厚みよりも厚くすることにより、第１テープ５１のうち使用頻度が比較的に高くなる部分の厚みを厚くすることができる。これにより、第１テープ５１のうち使用頻度が比較的に高くなる部分の摩耗に対する耐久性を向上させることができるので、第１テープ５１の摩耗による劣化を抑制することができる。
【０１３４】
これと同様に、紙葉類収納装置４０が上記のような一時保留部２４として使用される場合に、第２テープ５２のドラム５５側の厚みを第２テープ５２の第２リール５４側の厚みよりも厚くすることにより、第２テープ５２のうち使用頻度が比較的に高くなる部分の厚みを厚くすることができる。これにより、第２テープ５２のうち使用頻度が比較的に高くなる部分の摩耗に対する耐久性を向上させることができるので、第２テープ５２の摩耗による劣化を抑制することができる。
【０１３５】
（第１および第２テープの変形例５）
図１９に示すように、第１テープ５１の第１リール５３側の厚みは、第１テープ５１のドラム５５側の厚みよりも厚くなっていてもよい。これと同様に、第２テープ５２の第２リール５４側の厚みは、第２テープ５２のドラム５５側の厚みよりも厚くなっていてもよい。具体的には、第１テープ５１（または第２テープ５２）のうち第１リール５３（または第２リール５４）に固定される端部から所定の長さまでの部分の厚みが第１テープ５１（または第２テープ５２）の残りの部分の厚みよりも厚くなっていてもよい。なお、図１９は、第１テープ５１（または第２テープ５２）の長手方向と厚み方向に沿う断面を例示している。
【０１３６】
なお、紙葉類収納装置４０が収納部３２として使用される場合、紙葉類収納装置４０が満杯状態（または満杯状態に近い状態）に維持されるように紙葉類収納装置４０から数枚の紙幣を繰り出した後に紙葉類収納装置４０に数枚の紙幣を収納するという動作が繰り返し行われる場合がある。この場合、第１テープ５１の第１リール５３側の使用頻度が第１テープ５１のドラム５５側の使用頻度よりも高くなる傾向にある。これと同様に、第２テープ５２の第２リール５４側の使用頻度が第２テープ５２のドラム５５側の使用頻度よりも高くなる傾向にある。
【０１３７】
したがって、紙葉類収納装置４０が上記のような収納部３２（すなわち満杯状態が維持されるように数枚の紙幣を繰り出した後に数枚の紙幣を収納するという動作を繰り返し行う収納部３２）として使用される場合に、第１テープ５１の第１リール５３側の厚みを第１テープ５１のドラム５５側の厚みよりも厚くすることにより、第１テープ５１のうち使用頻度が比較的に高くなる部分の厚みを厚くすることができる。これにより、第１テープ５１のうち使用頻度が比較的に高くなる部分の摩耗に対する耐久性を向上させることができるので、第１テープ５１の摩耗による劣化を抑制することができる。
【０１３８】
これと同様に、上記のように紙葉類収納装置４０が上記のような収納部３２として使用される場合に、第２テープ５２の第２リール５４側の厚みを第２テープ５２のドラム５５側の厚みよりも厚くすることにより、第２テープ５２のうち使用頻度が比較的に高くなる部分の厚みを厚くすることができる。これにより、第２テープ５２のうち使用頻度が比較的に高くなる部分の摩耗に対する耐久性を向上させることができるので、第２テープ５２の摩耗による劣化を抑制することができる。
【０１３９】
（第１および第２テープの変形例６）
図２０に示すように、第１テープ５１の幅方向における両縁部の厚みは、第１テープ５１の幅方向における中央部の厚みよりも厚くなっていてもよい。これと同様に、第２テープ５２の幅方向における両縁部の厚みは、第２テープ５２の幅方向における中央部の厚みよりも厚くなっていてもよい。なお、図２０は、第１テープ５１（または第２テープ５２）の幅方向と厚み方向に沿う断面を例示している。
【０１４０】
なお、第１テープ５１の幅方向の両側に規制部材が配置され、その規制部材により第１テープ５１の走行位置のずれ（幅方向におけるずれ）が規制される場合、第１テープ５１の幅方向における両縁部が規制部材により摩耗することになる。この場合、第１テープ５１の幅方向における両縁部の厚みを第１テープ５１の幅方向における中央部の厚みよりも厚くすることにより、第１テープ５１のうち規制部材と接触する部分の厚みを厚くすることができる。これにより、第１テープ５１のうち規制部材と接触する部分の摩耗に対する耐久性を向上させることができる。
【０１４１】
これと同様に、第２テープ５２の幅方向の両側に規制部材（例えば規制壁７６）が配置され、その規制部材により第２テープ５２の走行位置のずれ（幅方向におけるずれ）が規制される場合、第２テープ５２の幅方向における両縁部が規制部材により摩耗することになる。この場合、第２テープ５２の幅方向における両縁部の厚みを第２テープ５２の幅方向における中央部の厚みよりも厚くすることにより、第２テープ５２のうち規制部材と接触する部分の厚みを厚くすることができる。これにより、第２テープ５２のうち規制部材と接触する部分の摩耗に対する耐久性を向上させることができる。
【０１４２】
（第１および第２テープのその他の変形例）
以上のように、第１テープ５１は、その厚みが第１テープ５１の延伸方向において一定（同一）となるように形成されていてもよいし、その厚みが第１テープ５１の延伸方向において変化するように形成されていてもよい。同様に、第２テープ５２は、その厚みが第２テープ５２の延伸方向において一定（同一）となるように形成されていてもよいし、その厚みが第２テープ５２の延伸方向において変化するように形成されていてもよい。
【０１４３】
また、第１テープ５１は、その厚みが第１テープ５１の幅方向において一定（同一）となるように形成されていてもよいし、その厚みが第１テープ５１の幅方向において変化するように形成されていてもよい。同様に、第２テープ５２は、その厚みが第２テープ５２の幅方向において一定（同一）となるように形成されていてもよいし、その厚みが第２テープ５２の幅方向において変化するように形成されていてもよい。
【０１４４】
また、第１テープ５１は、使用頻度が比較的に高くなる部分の厚みが厚くなるように形成されていてもよいし、規制部材と接触する部分の厚みが厚くなるように形成されていてもよい。同様に、第２テープ５２は、使用頻度が比較的に高くなる部分の厚みが厚くなるように形成されていてもよいし、規制部材と接触する部分の厚みが厚くなるように形成されていてもよい。
【０１４５】
（その他の実施形態）
以上の説明では、紙葉類処理機１０および紙葉類収納装置４０において紙幣（紙葉類の一例）の短手方向が搬送方向に沿うように紙幣が搬送される場合を例に挙げたが、紙葉類処理機１０および紙葉類収納装置４０において、紙幣は、紙幣の長手方向が搬送方向に沿うように搬送されてもよい。
【０１４６】
また、以上の説明では、紙葉類処理機１０が紙幣を処理する紙幣処理機を構成する場合を例に挙げたが、これに限らず、紙葉類処理機１０は、例えば、商品券や小切手などの有価媒体（紙葉類の一例）を処理する有価媒体処理機を構成するものであってもよい。これと同様に、紙葉類収納装置４０が紙幣の収納と繰出を行うように構成されている場合を例に挙げたが、これに限らず、紙葉類収納装置４０は、例えば、商品券や小切手などの有価媒体（紙葉類の一例）の収納と繰出を行うように構成されていてもよい。
【０１４７】
また、紙葉類は、紙を主な材料とするものであってもよいし、樹脂を主な材料とするシート形状の媒体であってもよい。
【０１４８】
また、以上の実施形態および変形例を適宜組み合わせて実施してもよい。以上の実施形態および変形例は、本質的に好ましい例示であって、この発明、その適用物、あるいはその用途の範囲を制限することを意図するものではない。
【産業上の利用可能性】
【０１４９】
以上説明したように、ここに開示する技術は、紙葉類収納装置として有用である。
【符号の説明】
【０１５０】
１０          紙葉類処理機
１１          制御部
２０          処理部
２１          処理側筐体
２２          入金部
２３          出金部
２４          一時保留部
２５          処理側搬送部
２６          識別部
３０          金庫部
３１          金庫側筐体
３２          収納部
３３          金庫側搬送部
４０          紙葉類収納装置
４１          筐体
４２          収納機構
５１          第１テープ
５２          第２テープ
５３          第１リール
５４          第２リール
５５          ドラム
５７          第１トルクリミッタ
５８          第２トルクリミッタ
６５          第１駆動部
６６          第２駆動部
６７          トルク制御部
【図１】
2019167232.tif 000003
【図２】
2019167232.tif 000004
【図３】
2019167232.tif 000005
【図４】
2019167232.tif 000006
【図５】
2019167232.tif 000007
【図６】
2019167232.tif 000008
【図７】
2019167232.tif 000009
【図８】
2019167232.tif 000010
【図９】
2019167232.tif 000011
【図１０】
2019167232.tif 000012
【図１１】
2019167232.tif 000013
【図１２】
2019167232.tif 000014
【図１３】
2019167232.tif 000015
【図１４】
2019167232.tif 000016
【図１５】
2019167232.tif 000017
【図１６】
2019167232.tif 000018
【図１７】
2019167232.tif 000019
【図１８】
2019167232.tif 000020
【図１９】
2019167232.tif 000021
【図２０】
2019167232.tif 000022